(57)【特許請求の範囲】
【請求項１】
無線通信のための方法であって、
１または複数の近隣の基地局（ＢＳ）が基準信号（ＲＳ）またはデータを送信するリソースを示すＲＳコンフィギュレーションを、少なくとも１つのサービス提供ＢＳによってサービス提供されているユーザ機器（ＵＥ）において決定することと、
前記示されたリソースで前記近隣のＢＳによって送信されたＲＳまたはデータに基づいて、前記近隣のＢＳによって引き起こされ、前記ＵＥによって観察される干渉を推定することと、
この干渉推定を用いて、チャネル状態情報（ＣＳＩ）を計算することと、
前記近隣のＢＳとの送信を調整する際に使用するために、前記ＣＳＩを前記サービス提供ＢＳへ送信することと、
を備え、
前記推定することは、
少なくとも１つの近隣のＢＳによって使用されるビームおよび送信電力のうちの少なくとも１つが一定を保つ、連続した物理リソース・ブロック（ＰＲＢ）の数を示すバンドリング・サイズを受信することと、
前記連続的なＰＲＢのセットの境界において干渉が劇的に変化しうると仮定して干渉を推定することとを備える、方法。
【請求項２】
前記近隣のＢＳは、前記示されたリソースでビームフォーミングを用い、
前記近隣のＢＳとの送信を調整する際に使用するために、前記ＣＳＩが、前記サービス提供ＢＳへ送信される、請求項１に記載の方法。
【請求項３】
前記ＲＳは、チャネル状態情報−基準信号（ＣＳＩ−ＲＳ）を備える、請求項１に記載の方法。
【請求項４】
前記決定することは、前記サービス提供ＢＳによって提供される、特定のＣＳＩ−ＲＳコンフィギュレーションを示す値を復号することを備える、請求項３に記載の方法。
【請求項５】
前記特定のＣＳＩ−ＲＳコンフィギュレーションは、前記サービス提供セルのためのゼロ電力ＣＳＩ−ＲＳコンフィギュレーションを備える、請求項４に記載の方法。
【請求項６】
ミュートされたＣＳＩ−ＲＳコンフィギュレーションを、前記サービス提供ＢＳから受信することをさらに備え、
前記ミュートされたＣＳＩ−ＲＳコンフィギュレーションは、隣接するＢＳによってＵＥへ提供されたミュートされたＣＳＩ−ＲＳコンフィギュレーションとは異なる、請求項４に記載の方法。
【請求項７】
自身のＵＥへ提供されたＣＳＩ−ＲＳコンフィギュレーションと、前記隣接するＢＳによってＵＥへ提供されたＣＳＩ−ＲＳコンフィギュレーションとの両方において、おのおののＢＳがミュートする、請求項６に記載の方法。
【請求項８】
前記ＵＥは、送信モード１と送信モード８とのうちの何れかの送信モードを使用するように構成され、提供されたＣＳＩ−ＲＳコンフィギュレーションを使用する、請求項４に記載の方法。
【請求項９】
前記ＲＳコンフィギュレーションは、前記近隣のＢＳによって引き起こされる干渉を推定するためのアンテナ・ポート毎のリソース・ブロック（ＲＢ）毎に、複数のリソース要素（ＲＥ）を定義する、請求項１に記載の方法。
【請求項１０】
前記近隣のＢＳによって引き起こされる干渉を推定するために、複数のＲＳコンフィギュレーションが前記ＵＥへ提供される、請求項１に記載の方法。
【請求項１１】
前記ＵＥは、前記サービス提供ＢＳから、適切なラジオ・リソース制御（ＲＲＣ）情報要素によって、前記バンドリング・サイズを受信する、請求項１に記載の方法。
【請求項１２】
無線通信のための装置であって、
１または複数の近隣の基地局（ＢＳ）が基準信号（ＲＳ）またはデータを送信するリソースを示すＲＳコンフィギュレーションを、少なくとも１つのサービス提供ＢＳによってサービス提供されているユーザ機器（ＵＥ）において決定する手段と、
前記示されたリソースで前記近隣のＢＳによって送信されたＲＳまたはデータに基づいて、前記近隣のＢＳによって引き起こされ、前記ＵＥによって観察される干渉を推定する手段と、
この干渉推定を用いて、チャネル状態情報（ＣＳＩ）を計算する手段と、
前記近隣のＢＳとの送信を調整する際に使用するために、前記ＣＳＩを前記サービス提供ＢＳへ送信する手段と、
を備え、
前記推定する手段は、
前記近隣のＢＳによって使用されるビームおよび送信電力のうちの少なくとも１つが一定を保つ、連続した物理リソース・ブロック（ＰＲＢ）の数を示すバンドリング・サイズを受信する手段と、
前記連続的なＰＲＢのセットの境界において干渉が劇的に変化しうると仮定して干渉を推定する手段とを備える、装置。
【請求項１３】
前記近隣のＢＳは、前記示されたリソースでビームフォーミングを用い、
前記近隣のＢＳとのビームフォーム送信を調整する際に使用するために、前記ＣＳＩが、前記サービス提供ＢＳへ送信される、請求項１２に記載の装置。
【請求項１４】
前記ＲＳは、チャネル状態情報−基準信号（ＣＳＩ−ＲＳ）を備える、請求項１２に記載の装置。
【請求項１５】
前記決定する手段は、前記サービス提供ＢＳによって提供される、特定のＣＳＩ−ＲＳコンフィギュレーションを示す値を復号する手段を備える、請求項１４に記載の装置。
【請求項１６】
前記特定のＣＳＩ−ＲＳコンフィギュレーションは、前記サービス提供セルのためのゼロ電力ＣＳＩ−ＲＳコンフィギュレーションを備える、請求項１５に記載の装置。
【請求項１７】
ミュートされたＣＳＩ−ＲＳコンフィギュレーションを、前記サービス提供ＢＳから受信する手段をさらに備え、
前記ミュートされたＣＳＩ−ＲＳコンフィギュレーションは、隣接するＢＳによってＵＥへ提供されたミュートされたＣＳＩ−ＲＳコンフィギュレーションとは異なる、請求項１５に記載の装置。
【請求項１８】
自身のＵＥへ提供されたＣＳＩ−ＲＳコンフィギュレーショと、前記隣接するＢＳによってＵＥへ提供されたＣＳＩ−ＲＳコンフィギュレーションとの両方において、おのおののＢＳがミュートする、請求項１７に記載の装置。
【請求項１９】
前記ＵＥは、送信モード１と送信モード８とのうちの何れかの送信モードを使用するように構成され、提供されたＣＳＩ−ＲＳコンフィギュレーションを使用する、請求項１５に記載の装置。
【請求項２０】
前記ＲＳコンフィギュレーションは、前記近隣のＢＳによって引き起こされる干渉を推定するためのアンテナ・ポート毎のリソース・ブロック（ＲＢ）毎に、複数のリソース要素（ＲＥ）を定義する、請求項１２に記載の装置。
【請求項２１】
前記近隣のＢＳによって引き起こされる干渉を推定するために、複数のＲＳコンフィギュレーションが前記ＵＥへ提供される、請求項１２に記載の装置。
【請求項２２】
前記ＵＥは、前記サービス提供ＢＳから、適切なラジオ・リソース制御（ＲＲＣ）情報要素によって、前記バンドリング・サイズを受信する、請求項１２に記載の装置。
【請求項２３】
無線通信のための装置であって、
１または複数の近隣の基地局（ＢＳ）が基準信号（ＲＳ）またはデータを送信するリソースを示すＲＳコンフィギュレーションを、少なくとも１つのサービス提供ＢＳによってサービス提供されているユーザ機器（ＵＥ）において決定し、
前記示されたリソースで前記近隣のＢＳによって送信されたＲＳまたはデータに基づいて、前記近隣のＢＳによって引き起こされ、前記ＵＥによって観察される干渉を推定し、
この干渉推定を用いて、チャネル状態情報（ＣＳＩ）を計算し、
前記近隣のＢＳとの送信を調整する際に使用するために、前記ＣＳＩを前記サービス提供ＢＳへ送信するように適応された少なくとも１つのプロセッサと、
前記少なくとも１つのプロセッサに接続されたメモリと、
を備え、
前記推定は、
前記近隣のＢＳによって使用されるビームおよび送信電力のうちの少なくとも１つが一定を保つ、連続した物理リソース・ブロック（ＰＲＢ）の数を示すバンドリング・サイズを受信することと、
前記連続的なＰＲＢのセットの境界において干渉が劇的に変化しうると仮定して干渉を推定することとによって実行される、装置。
【請求項２４】
格納された命令群を有するコンピュータ読取可能な記憶媒体であって、
前記命令群は、
１または複数の近隣の基地局（ＢＳ）が基準信号（ＲＳ）またはデータを送信している間、少なくとも１つのサービス提供ＢＳがユーザ機器（ＵＥ）へ送信することを控えるためのリソースを示すＲＳコンフィギュレーションを、前記ＵＥにおいて決定することと、
前記示されたリソースで前記近隣のＢＳによって送信されたＲＳまたはデータに基づいて、前記近隣のＢＳによって引き起こされ、前記ＵＥによって観察される干渉を推定することと、
この干渉推定を用いて、チャネル状態情報（ＣＳＩ）を計算することと、
前記近隣のＢＳとの送信を調整する際に使用するために、前記ＣＳＩを前記サービス提供ＢＳへ送信することと、
のために１または複数のプロセッサによって実行可能であり、
前記推定することは、
前記近隣のＢＳによって使用されるビームおよび送信電力のうちの少なくとも１つが一定を保つ、連続した物理リソース・ブロック（ＰＲＢ）の数を示すバンドリング・サイズを受信することと、
前記連続的なＰＲＢのセットの境界において干渉が劇的に変化しうると仮定して干渉を推定することとを備える、コンピュータ読取可能な記憶媒体。
【発明の詳細な説明】
【優先権主張】
【０００１】
本特許出願は、「協調マルチ・ポイント通信のためのユーザ機器エンハンスメント」（USER EQUIPMENT ENHANCEMENTS FOR COOPERATIVE MULTI-POINT COMMUNICATION）と題され２０１１年８月２５日に出願され本願の譲受人に譲渡され本明細書に参照によって明確に組み込まれている米国仮出願６１／５２７，４６８号に対する優先権を主張する。
【技術分野】
【０００２】
本開示のいくつかの態様は、一般に、無線通信システムに関し、さらに詳しくは、協調マルチ・ポイント（ＣｏＭＰ）通信システムにおいてユーザ機器（ＵＥ）によって観察される干渉をより正確に推定するための技術に関する。
【背景技術】
【０００３】
無線通信システムは、例えば、音声、データ等のようなさまざまなタイプの通信コンテンツを提供するために広く開発されてきた。これらのシステムは、（例えば、帯域幅および送信電力等のような）利用可能なシステム・リソースを共有することにより、複数のユーザとの通信をサポートすることが可能な多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
通常、無線多元接続通信システムは、複数の無線端末のための通信を同時にサポートしうる。端末はおのおのの、順方向リンクおよび逆方向リンクによる送信を介して、１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力（ＳＩＳＯ）システム、複数入力単一出力（ＭＩＳＯ）システム、または複数入力複数出力（ＭＩＭＯ）システム等によって確立されうる。
【０００５】
従来のモバイル電話ネットワーク基地局を補強するために、追加の基地局が配置され、モバイル・ユニットに対して、よりロバストな無線有効通信範囲が提供されている。例えば、無線リレー局および小型有効通信範囲基地局（例えば、一般にアクセス・ポイント基地局、ホーム・ノードＢ、フェムト・アクセス・ポイント、またはフェムト・セルと呼ばれる）は、増加する容量成長、より豊かなユーザ経験、およびビルディング内有効通信範囲のために配置されうる。一般に、このような小型有効通信範囲基地局は、ＤＳＬルータあるいはケーブル・モデムによって、インターネットおよびモバイル・オペレータのネットワークに接続される。このようなその他のタイプの基地局が、従来の基地局（例えば、マクロ基地局）とは別の方式で、従来のモバイル電話ネットワーク（例えば、バックホール）に追加されるので、このようなその他のタイプの基地局とこれらに関連付けられたユーザ機器を管理するための効率的な技術に対するニーズがある。
【発明の概要】
【０００６】
本開示のいくつかの態様は、協調マルチ・ポイント（ＣｏＭＰ）ユーザ機器（ＵＥ）において観察される干渉を推定する方法を提供する。この方法は、一般に、１または複数の近隣の基地局（ＢＳ）が基準信号（ＲＳ）またはデータを送信するリソースを示すＲＳコンフィギュレーションを、少なくとも１つのサービス提供ＢＳによってサービス提供されているユーザ機器（ＵＥ）において決定することと、示されたリソースで近隣のＢＳによって送信されたＲＳまたはデータに基づいて、近隣のＢＳによって引き起こされ、ＵＥによって観察される干渉を推定することと、この干渉推定を用いて、チャネル状態情報（ＣＳＩ）を計算することと、近隣のＢＳとの送信を調整する際に使用するために、このＣＳＩをサービス提供ＢＳへ送信することと、を含む。
【０００７】
本開示のいくつかの態様は、協調マルチ・ポイント（ＣｏＭＰ）ユーザ機器（ＵＥ）において観察される干渉を推定するための装置を提供する。この装置は一般に、１または複数の近隣の基地局（ＢＳ）が基準信号（ＲＳ）またはデータを送信するリソースを示すＲＳコンフィギュレーションを、少なくとも１つのサービス提供ＢＳによってサービス提供されているユーザ機器（ＵＥ）において決定する手段と、示されたリソースで近隣のＢＳによって送信されたＲＳまたはデータに基づいて、近隣のＢＳによって引き起こされ、ＵＥによって観察される干渉を推定する手段と、この干渉推定を用いて、チャネル状態情報（ＣＳＩ）を計算する手段と、近隣のＢＳとの送信を調整する際に使用するために、このＣＳＩをサービス提供ＢＳへ送信する手段と、を含む。
【０００８】
本開示のいくつかの態様は、協調マルチ・ポイント（ＣｏＭＰ）ユーザ機器（ＵＥ）において観察される干渉を推定するための装置を提供する。この装置は、一般に、少なくとも１つのプロセッサと、少なくとも１つのプロセッサに接続されたメモリとを含む。少なくとも１つのプロセッサは一般に、１または複数の近隣の基地局（ＢＳ）が基準信号（ＲＳ）またはデータを送信するリソースを示すＲＳコンフィギュレーションを、少なくとも１つのサービス提供ＢＳによってサービス提供されているユーザ機器（ＵＥ）において決定し、示されたリソースで近隣のＢＳによって送信されたＲＳまたはデータに基づいて、近隣のＢＳによって引き起こされ、ＵＥによって観察される干渉を推定し、この干渉推定を用いて、チャネル状態情報（ＣＳＩ）を計算し、近隣のＢＳとの送信を調整する際に使用するために、このＣＳＩをサービス提供ＢＳへ送信する、ように適用される。
【０００９】
本開示のいくつかの態様は、協調マルチ・ポイント（ＣｏＭＰ）ユーザ機器（ＵＥ）において観察される干渉を推定するためのコンピュータ・プログラム製品を提供する。このコンピュータ・プログラム製品は、格納された命令群を有するコンピュータ読取可能な媒体を含む。これら命令群は、１または複数の近隣の基地局（ＢＳ）が基準信号（ＲＳ）またはデータを送信するリソースを示すＲＳコンフィギュレーションを、少なくとも１つのサービス提供ＢＳによってサービス提供されているユーザ機器（ＵＥ）において決定することと、示されたリソースで近隣のＢＳによって送信されたＲＳまたはデータに基づいて、近隣のＢＳによって引き起こされ、ＵＥによって観察される干渉を推定することと、この干渉推定を用いて、チャネル状態情報（ＣＳＩ）を計算することと、近隣のＢＳとの送信を調整する際に使用するために、このＣＳＩをサービス提供ＢＳへ送信することと、のために１または複数のプロセッサによって実行されることが可能である。
【図面の簡単な説明】
【００１０】
本開示の前述した特徴が、より詳細に理解される方式で、簡潔に要約された具体的な記載が、態様に対する参照によってなされている。そして、それらの幾つかは、添付図面で例示されている。しかしながら、この記載は、その他の等しく有効な態様に対しても適合するので、添付図面は、本開示のある典型的な態様のみを示していることや、本開示の範囲を限定するものとしては考慮されないことが注目されるべきである。
【図１】図１は、本開示のある態様が利用されうる多元接続無線通信システムを例示する。
【図２】図２は、本開示のある態様にしたがう、無線通信ネットワークにおけるフレーム構造の例を例示する。
【図２Ａ】図２Ａは、本開示のある態様にしたがうロング・ターム・イボリューション（ＬＴＥ）におけるアップリンクのためのフォーマットの例を示す。
【図３】図３は、本開示のある態様が利用されうる無線通信システムのブロック図である。
【図４】図４は、本開示のある態様にしたがって、近隣の基地局（ＢＳ）によって引き起こされる干渉を推定するために、ユーザ機器（ＵＥ）におって実行されうる動作の例を例示する。
【図４Ａ】図４Ａは、図４に例示された動作を実行することが可能な手段の例を例示する。
【発明を実施するための形態】
【００１１】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ（登録商標））、およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナシップ計画」（３ＧＰＰ）と命名された団体からの文書に記載されている。ＣＤＭＡ２０００およびＵＭＢは、「第３世代パートナシップ計画２」（３ＧＰＰ２）と命名された組織からの文書に記載されている。本明細書において記載された技術は、他の無線ネットワークおよびラジオ技術と同様に、前述された無線ネットワークおよびラジオ技術のために使用されうる。明確化のために、これら技術のある態様は、以下において、ＬＴＥに関して記載されており、ＬＴＥ用語が以下の説明の多くで使用される。
【００１２】
（無線ネットワークの例）  
図１は、ＬＴＥネットワークでありうる無線通信ネットワーク１００を示す。無線ネットワーク１００は、多くのイボルブド・ノードＢ（ｅＮＢ）１１０およびその他のネットワーク・エンティティを含みうる。ｅＮＢは、ユーザ機器デバイス（ＵＥ）と通信する局であり、基地局、ノードＢ、アクセス・ポイント等とも称されうる。おのおののｅＮＢ１１０は、特定の地理的エリアのために通信有効通信範囲エリアを提供しうる。３ＧＰＰでは、用語「セル」は、この用語が使用されるコンテキストに依存して、この有効通信範囲エリアにサービス提供しているｅＮＢおよび／またはｅＮＢサブシステムからなる有効通信範囲エリアを称しうる。
【００１３】
ｅＮＢは、マクロ・セル、ピコ・セル、フェムト・セル、および／または、その他のタイプのセルのために、通信有効通信範囲を提供しうる。マクロ・セルは、比較的大きな地理的エリア（例えば、半径数キロメータ）をカバーし、サービス加入を持つＵＥによる無制限のアクセスを許可しうる。ピコ・セルは、比較的小さな地理的エリアをカバーし、サービス加入を持つＵＥによる無制限のアクセスを許可しうる。
【００１４】
フェムト・セルは、比較的小さな地理的エリア（例えば、住宅）をカバーし、フェムト・セルとの関連を持つＵＥ（例えば、クローズド加入者グループ（ＣＳＧ）におけるＵＥ、住宅内のユーザのためのＵＥ等）によって制限されたアクセスを許可しうる。マクロ・セルのためのｅＮＢは、マクロｅＮＢ（すなわち、マクロ基地局）と称されうる。ピコ・セルのためのｅＮＢは、ピコｅＮＢ（すなわち、ピコ基地局）と称されうる。フェムト・セルのためのｅＮＢは、フェムトｅＮＢ（すなわち、フェムト基地局）またはホームｅＮＢと称されうる。図１に示す例では、ｅＮＢ１１０ａ，１１０ｂ，１１０ｃはそれぞれ、マクロ・セル１０２ａ，１０２ｂ，１０２ｃのためのマクロｅＮＢでありうる。ｅＮＢ１１０ｘは、ピコ・セル１０２ｘのためのピコｅＮＢでありうる。ｅＮＢ１１０ｙ，１１０ｚはそれぞれ、フェムト・セル１０２ｙ，１０２ｚのためのフェムトｅＮＢでありうる。ｅＮＢは、１または複数（例えば３つ）のセルをサポートしうる。
【００１５】
無線ネットワーク１００はさらに、中継局をも含みうる。中継局は、データおよび／またはその他の情報の送信を上流局（例えば、ｅＮＢまたはＵＥ）から受信し、データおよび／またはその他の情報の送信を下流局（例えば、ＵＥまたはｅＮＢ）へ送信する局である。中継局はまた、他のＵＥのための送信を中継するＵＥでもありうる。図１において図示される例において、中継局１１０ｒは、ｅＮＢ１１０ａとＵＥ１２０ｒとの間の通信を容易にするために、ｅＮＢ１１０ａおよびＵＥ１２０ｒと通信しうる。中継局はまた、リレーｅＮＢ、リレー等とも称されうる。
【００１６】
無線ネットワーク１００はまた、例えば、マクロｅＮＢ、ピコｅＮＢ、フェムトｅＮＢ、リレー等のような異なるタイプのｅＮＢを含むヘテロジニアスなネットワーク（ＨｅｔＮｅｔ）でもありうる。これら異なるタイプのｅＮＢは、異なる送信電力レベル、異なる有効通信範囲エリア、および、無線ネットワーク１００内の干渉に対する異なるインパクトを有しうる。例えば、マクロｅＮＢは、高い送信電力レベル（例えば、２０ワット）を有する一方、ピコｅＮＢ、フェムトｅＮＢ、およびリレーは、低い送信電力レベル（例えば、１ワット）を有しうる。
【００１７】
無線ネットワーク１００は、同期動作または非同期動作をサポートしうる。同期動作の場合、ｅＮＢは、同じようなフレーム・タイミングを有し、異なるｅＮＢからの送信は、時間的にほぼ同期しうる。非同期動作の場合、ｅＮＢは、異なるフレーム・タイミングを有し、異なるｅＮＢからの送信は、時間的に同期しない場合がある。ここに記載された技術は、同期動作および非同期動作の両方のために使用されうる。
【００１８】
ネットワーク・コントローラ１３０は、ｅＮＢのセットに接続しており、これらｅＮＢのための調整および制御を提供しうる。ネットワーク・コントローラ１３０は、バックホールを介してｅＮＢ１１０と通信しうる。ｅＮＢ１１０はまた、例えば、ダイレクトに、または、無線または有線のバックホールを介して非ダイレクトに、互いに通信しうる。
【００１９】
無線ネットワーク１００の全体にわたって、多くのＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット等でありうる。ＵＥは、マクロｅＮＢ、ピコｅＮＢ、フェムトｅＮＢ、リレー等と通信することができうる。図１では、両矢印を持つ実線が、ＵＥと、ダウンリンクおよび／またはアップリンクでＵＥにサービス提供するように指定されたｅＮＢであるサービス提供ｅＮＢとの間の所望の送信を示す。両矢印を持つ破線は、ＵＥとｅＮＢとの間の干渉送信を示す。ある態様の場合、ＵＥは、ＬＴＥリリース１０  ＵＥを備えうる。
【００２０】
ＬＴＥは、ダウンリンクにおいて直交周波数分割多重（ＯＦＤＭ）を、アップリンクにおいてシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データとともに変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、Ｋは、１．２５，２．５，５，１０，２０メガヘルツ（ＭＨｚ）のシステム帯域幅についてそれぞれ１２８，２５６，５１２，１０２４，２０４８にそれぞれ等しい。システム帯域幅はまた、サブ帯域へ分割されうる。例えば、サブ帯域は、１．０８ＭＨｚをカバーし、１．２５，２．５，５，１０，２０ＭＨｚのシステム帯域幅についてそれぞれ１，２，４，８，１６のサブ帯域が存在しうる。
【００２１】
図２は、ＬＴＥにおいて使用されるダウンリンク・フレーム構造を示す。ダウンリンクの送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは、２つのスロットを含みうる。したがって、おのおののラジオ・フレームは、０乃至１９のインデクスを付された２０のスロットを含みうる。おのおののスロットは、例えば、（図２に示すように）通常のサイクリック・プレフィクスの場合、Ｌ＝７のシンボル期間を、拡張されたサイクリック・プレフィクスの場合、Ｌ＝６のシンボル期間のように、Ｌ個のシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ分割されうる。おのおののリソース・ブロックは、１つのスロットにおいてＮ個のサブキャリア（例えば、１２のサブキャリア）をカバーしうる。
【００２２】
ＬＴＥでは、ｅＮＢは、ｅＮＢにおける各セルについて、一次同期信号（ＰＳＳ）と二次同期信号（ＳＳＳ）とを送信しうる。図２に示すように、一次同期信号および二次同期信号は、通常のサイクリック・プレフィクスを持つ各ラジオ・フレームのサブフレーム０，５のおのおのにおいて、シンボル期間６およびシンボル期間５でそれぞれ送信されうる。これら同期信号は、セル検出および獲得のためにＵＥによって使用されうる。ｅＮＢはまた、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２３】
図２に図示されるように、ｅＮＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、小さなシステム帯域幅に対して４に等しくなりうる。ｅＮＢは、（図２に示していないが）おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＨＩＣＨは、ハイブリッド自動反復要求（ＨＡＲＱ）をサポートするための情報を伝送しうる。ＰＤＣＣＨは、ＵＥのためのリソース割当に関する情報と、ダウンリンク・チャネルのための制御情報とを伝送しうる。ｅＮＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。ＬＴＥにおけるさまざまな信号およびチャネルは、公的に利用可能な「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００２４】
ｅＮＢは、ｅＮＢによって使用されるシステム帯域幅の中央の１．０８ＭＨｚでＰＳＳ、ＳＳＳ、およびＰＢＣＨを送信しうる。ｅＮＢは、これらのチャネルが送信される各シンボル期間におけるシステム帯域幅全体でＰＣＦＩＣＨおよびＰＨＩＣＨを送信しうる。ｅＮＢは、システム帯域幅のある部分において、ＵＥのグループにＰＤＣＣＨを送信しうる。ｅＮＢは、システム帯域幅の特定の部分で、特定のＵＥに、ＰＤＳＣＨを送信しうる。ｅＮＢは、すべてのＵＥへブロードキャスト方式でＰＳＳ、ＳＳＳ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００２５】
各シンボル期間において、多くのリソース要素が利用可能でありうる。おのおののリソース要素は、１つのシンボル期間において１つのサブキャリアをカバーしうる。そして、実数値または複素数値である１つの変調シンボルを送信するために使用されうる。おのおののシンボル期間において、基準信号のために使用されないリソース要素は、リソース要素グループ（ＲＥＧ）へ構成されうる。おのおののＲＥＧは、１つのシンボル期間内に、４つのリソース要素を含みうる。ＰＣＦＩＣＨは、シンボル期間０内に４つのＲＥＧを占有しうる。これらは、周波数にわたってほぼ均等に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３２，または６４のＲＥＧを占有しうる。これらは、利用可能なＲＥＧから選択されうる。複数のＲＥＧからなるある組み合わせのみが、ＰＤＣＣＨのために許容されうる。
【００２６】
ＵＥは、ＰＨＩＣＨとＰＣＦＩＣＨとのために使用される特定のＲＥＧを認識しうる。ＵＥは、ＰＤＣＣＨを求めて、ＲＥＧの異なる組み合わせを探索しうる。探索する組み合わせの数は、一般に、ＰＤＣＣＨのために許可された組み合わせの数よりも少ない。ｅＮＢは、ＵＥが探索する組み合わせのうちの何れかのＵＥにＰＤＣＣＨを送信しうる。
【００２７】
図２Ａは、ＬＴＥにおけるアップリンクのための典型的なフォーマット２００Ａを示す。アップリンクのために利用可能なリソース・ブロックは、データ・セクションおよび制御セクションに区分されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図２Ａにおける設計の結果、データ・セクションは、連続するサブキャリアを含むようになる。これによって、単一のＵＥに、データ・セクションにおいて連続するサブキャリアのすべてが割り当てられるようになる。
【００２８】
ＵＥは、ｅＮＢへ制御情報を送信するために、制御セクションにおいてリソース・ブロックを割り当てられうる。ＵＥはまた、ｅＮＢへデータを送信するために、データ・セクションにおいてリソース・ブロックを割り当てられうる。ＵＥは、制御セクションにおいて割り当てられたリソース・ブロックで、物理アップリンク制御チャネル（ＰＵＣＣＨ）２１０ａ，２１０ｂで制御情報を送信しうる。ＵＥは、データ・セクションにおいて割り当てられたリソース・ブロックで、物理アップリンク共有チャネル（ＰＵＳＣＨ）２２０ａ，２２０ｂで、データのみ、または、データと制御情報との両方を送信しうる。図２Ａに示すように、アップリンク送信は、サブフレームの両スロットにおよび、周波数にわたってホップしうる。
【００２９】
ＵＥは、複数のｅＮＢの有効通信範囲内に存在しうる。これらのｅＮＢのうちの１つが、ＵＥにサービス提供するために選択されうる。サービス提供するｅＮＢは、例えば受信電力、経路喪失、信号対雑音比（ＳＮＲ）等のようなさまざまな基準に基づいて選択されうる。
【００３０】
ＵＥは、１または複数の干渉元のｅＮＢからの高い干渉を観察しうる支配的な干渉シナリオで動作しうる。支配的な干渉シナリオは、制限された関連付けによって生じうる。例えば、図１では、ＵＥ１２０ｙがフェムトｅＮＢ１１０ｙに近く、ｅＮＢ１１０ｙのための高い受信電力を有しうる。しかしながら、制約された関連性によって、ＵＥ１２０ｙは、フェムトｅＮＢ１１０ｙにアクセスすることができず、低い受信電力を持つ（図１に示すような）マクロｅＮＢ１１０ｃ、または、同様に低い受信電力を持つ（図１に示されていない）フェムトｅＮＢ１１０ｚに接続しうる。ＵＥ１２０ｙは、その後、ダウンリンクにおいて、フェムトｅＮＢ１１０ｙからの高い干渉を観察し、さらに、アップリンクにおいて、ｅＮＢ１１０ｙへの高い干渉をも引き起こしうる。
【００３１】
支配的な干渉シナリオはまた、ＵＥによって検出されたすべてのｅＮＢのうち、低い経路喪失および低いＳＮＲを持つｅＮＢにＵＥが接続するシナリオである範囲拡張によっても生じうる。例えば、図１では、ＵＥ１２０ｘは、マクロｅＮＢ１１０ｂおよびピコｅＮＢ１１０ｘを検出し、ｅＮＢ１１０ｘについて、ｅＮＢ１１０ｂよりも低い受信電力を有しうる。しかしながら、ｅＮＢ１１０ｘの経路喪失が、マクロｅＮＢ１１０ｂの経路喪失よりも低いのであれば、ＵＥ１２０ｘが、ピコｅＮＢ１１０ｘに接続することが望まれうる。これによって、ＵＥ１２０ｘのための所与のデータ・レートに関し、無線ネットワークに対する干渉が低くなりうる。
【００３２】
態様では、異なる周波数帯域で動作する異なるｅＮＢを有することによって、支配的な干渉シナリオにおける通信がサポートされうる。周波数帯域は、通信のために使用されうる周波数の範囲であり、（ｉ）中心の周波数および帯域幅によって、または（ｉｉ）低い周波数および高い周波数によって与えられうる。周波数帯域はまた、帯域、周波数チャネル等とも称されうる。異なるｅＮＢのための周波数帯域は、強いｅＮＢがＵＥと通信することを可能にしながら、ＵＥが、支配的な干渉シナリオにあるより弱いｅＮＢと通信できるように選択されうる。ｅＮＢは、ＵＥにおいて受信されたｅＮＢからの信号の受信電力に基づいて（かつ、ｅＮＢの送信電力レベルに基づくことなく）「弱い」ｅＮＢまたは「強い」ｅＮＢとして分類されうる。
【００３３】
本開示のある態様によれば、ネットワークが、エンハンスト・セル間干渉調整（ｅＩＣＩＣ）をサポートしている場合、基地局は、リソースの一部を放棄した干渉元のセルによる干渉を低減または除去するために、互いにネゴシエートして、リソースを調整しうる。この干渉調整にしたがって、ＵＥは、厳しい干渉がある場合であっても、干渉元のセルによって放棄されたリソースを用いることによって、サービス提供セルにアクセスすることができうる。
【００３４】
例えば、オープン・マクロ・セルの有効通信範囲エリア内のクローズド・アクセス・モードのフェムト・セル（すなわち、ここでは、メンバ・フェムトＵＥのみがこのセルにアクセスする）は、リソースを放棄し、干渉を効果的に除去することによって、マクロ・セルのために（フェムト・セルの有効通信範囲エリア内に）「有効通信範囲ホール」を生成することができうる。リソースを放棄するためにフェムト・セルについてネゴシエートすることによって、フェムト・セル有効通信範囲エリア下のマクロＵＥはいまだに、これら放棄されたリソースを用いて、ＵＥのサービス提供マクロ・セルにアクセスすることができる。
【００３５】
例えば、イボルブド・ユニバーサル地上ラジオ・アクセス・ネットワーク（Ｅ−ＵＴＲＡＮ）のように、ＯＦＤＭを用いるラジオ・アクセス・システムでは、放棄されたリソースは、時間ベースであるか、周波数ベースであるか、これら両方の組み合わせでありうる。調整されたリソース分割が時間ベースである場合、干渉元のセルは、単に、時間領域におけるサブフレームのうちのいくつかを使用しない。調整されたリソース分割が周波数ベースである場合、干渉元のセルは、周波数領域におけるサブキャリアを放棄しうる。周波数と時間との両方の組み合わせによって、干渉元のセルは、周波数リソースと時間リソースとを放棄しうる。
【００３６】
図３は、図１における基地局／ｅＮＢのうちの１つ、およびＵＥのうちの１つでありうる、基地局（またはｅＮＢ１１０）とＵＥ１２０との設計のブロック図である。制約された関連性のシナリオの場合、ｅＮＢ１１０は、図１におけるマクロｅＮＢ１１０ｃでありうる。そして、ＵＥ１２０は、ＵＥ１２０ｙでありうる。ｅＮＢ１１０はさらに、その他いくつかのタイプの基地局でもありうる。ｅＮＢ１１０は、Ｔ個のアンテナ３３４ａ乃至３３４ｔを備え、ＵＥ１２０は、Ｒ個のアンテナ３５２ａ乃至３５２ｒを備えうる。ここで、一般に、Ｔ≧１およびＲ≧１である。
【００３７】
ｅＮＢ１１０では、送信プロセッサ３２０が、データ・ソース３１２からデータを、コントローラ／プロセッサ３４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。送信プロセッサ３２０は、データ・シンボルおよび制御シンボルをそれぞれ取得するために、データおよび制御情報を処理（例えば、符号化およびシンボル・マップ）しうる。送信プロセッサ３２０はさらに、例えばＰＳＳやＳＳＳのための基準シンボルや、セル特有の基準信号を生成しうる。送信（ＴＸ）複数入力複数出力（ＭＩＭＯ）プロセッサ３３０は、適用可能であれば、データ・シンボル、制御シンボル、および／または、基準シンボルに空間処理（例えば、プリコーディング）を実行し、Ｔ個の出力シンボル・ストリームをＴ個の変調器（ＭＯＤ）３３２ａ乃至３３２ｔに提供しうる。おのおのの変調器３３２は、（例えば、ＯＦＤＭ等のために）それぞれの出力シンボル・ストリームを処理して、出力サンプル・ストリームを得る。おのおのの変調器３３２はさらに、出力サンプル・ストリームを処理（例えば、アナログ変換、増幅、フィルタ、およびアップコンバート）し、ダウンリンク信号を取得する。変調器３３２ａ乃至３３２ｔからのＴ個のダウンリンク信号は、Ｔ個のアンテナ３３４ａ乃至３３４ｔによってそれぞれ送信されうる。
【００３８】
ＵＥ１２０では、アンテナ３５２ａ乃至３５２ｒが、ｅＮＢ１１０からダウンリンク信号を受信し、受信した信号を、復調器（ＤＥＭＯＤ）３５４ａ乃至３５４ｒへそれぞれ提供しうる。おのおのの復調器３５４は、受信したそれぞれの信号を調整（例えば、フィルタ、増幅、ダウンコンバート、およびデジタル化）して、入力サンプルを取得しうる。おのおのの復調器３５４はさらに、（例えば、ＯＦＤＭ等のため）これら入力サンプルを処理して、受信されたシンボルを取得しうる。ＭＩＭＯ検出器３５６は、Ｒ個すべての復調器３５４ａ乃至３５４ｒから受信したシンボルを取得し、適用可能である場合、これら受信されたシンボルに対してＭＩＭＯ検出を実行し、検出されたシンボルを提供しうる。受信プロセッサ３５８は、検出されたシンボルを処理（例えば、復調、デインタリーブ、および復号）し、ＵＥ１２０のために復号されたデータをデータ・シンク３６０に提供し、復号された制御情報をコントローラ／プロセッサ３８０へ提供しうる。
【００３９】
アップリンクでは、ＵＥ１２０において、送信プロセッサ３６４が、データ・ソース３６２から（例えばＰＵＳＣＨのための）データを、コントローラ／プロセッサ３８０から（例えばＰＵＣＣＨのための）制御情報を、受信して処理しうる。送信プロセッサ３６４はさらに、基準信号のための基準シンボルを生成しうる。送信プロセッサ３６４からのシンボルは、適用可能であれば、ＴＸ  ＭＩＭＯプロセッサ３６６によってプリコードされ、さらに、（例えば、ＳＣ−ＦＤＭ等のために）変調器３５４ａ乃至３５４ｒによって処理され、ｅＮＢ１１０へ送信される。ｅＮＢ１１０では、ＵＥ１２０からのアップリンク信号が、アンテナ３３４によって受信され、復調器３３２によって処理され、適用可能な場合にはＭＩＭＯ検出器３３６によって検出され、さらに、受信プロセッサ３３８によって処理されて、ＵＥ１２０によって送信された復号されたデータおよび制御情報が取得されうる。受信プロセッサ３３８は、復号されたデータをデータ・シンク３３９に提供し、復号された制御情報をコントローラ／プロセッサ３４０へ提供しうる。
【００４０】
コントローラ／プロセッサ３４０，３８０は、ｅＮＢ１１０およびＵＥ１２０それぞれにおける動作を指示しうる。ｅＮＢ１１０におけるコントローラ／プロセッサ３４０、受信プロセッサ３３８、および／または、その他のプロセッサおよびモジュールは、本明細書に記載された技術のための動作および／または処理の実行または指示を行いうる。メモリ３４２，３８２は、ｅＮＢ１１０およびＵＥ１２０それぞれのためのデータおよびプログラム・コードを格納しうる。スケジューラ３４４は、ダウンリンクおよび／またはアップリンクでのデータ送信のためにＵＥをスケジュールしうる。
【００４１】
（ＣｏＭＰのためのＵＥエンハンスメントの例）  
多くの場合では、エッジ・ユーザのパフォーマンスは、ダウンリンク協調マルチ・ポイント（ＣｏＭＰ）通信によって、著しく向上されうる。ＣｏＭＰ通信では、複数のノードが、所与のＵＥにサービス提供するように協調しうる。
【００４２】
さまざまなタイプのＣｏＭＰ技術が利用可能である。ジョイント処理（ＪＰ）は、同じＵＥのためのデータ・パケットが、複数のノードに提供される場合における協調タイプである。ＪＰの例は、ジョイント送信（ＪＴ）および動的セル切換（ＤＣＳ）を含む。ＪＰは高速なバックホールを必要とする。これは、バックホール・オーバヘッドを増加させ、ネットワーク・トポロジ・アップグレードを必要とする。協調スケジューリング（ＣＳ）および協調ビームフォーミング（ＣＢＦ）は、別のタイプの協調である。ここでは、サービス提供セルのみが、ＵＥのためのデータ・パケットを有する。ＣＳおよびＣＢＦは、基地局による適切なＵＥ選択、ビーム選択、電力制御（例えばＢｏｏｌｅａｎ。この場合、干渉は、フル電力を用いて送信されるか、または、いくつかのリソースにおいて、静められる）、および改善されたリンク適応を含む。
【００４３】
本開示の態様は、ＣＳ／ＣＢＦスキームのためのフィードバック・エンハンスメントのための方法を提供する。「犠牲」ＢＳ（例えば、より高い電力のノードによる干渉にさらされているマクロ−ピコ・シナリオにおけるピコ）は、１または複数の干渉元の「攻撃」ＢＳ（例えば、マクロ・ノード）において調整されるスケジューリング決定を行いうる。例えば、犠牲ＢＳは、近隣の攻撃ＢＳのスケジューリング決定（例えば、ビームおよび送信電力）を暗黙的または明示的に認識しうる。そして、近隣ＢＳとのビームフォーム送信を調整する場合、この情報を考慮しうる。
【００４４】
ＣｏＭＰに参加するノードのすべてまたはサブセットは、送信前に、特定の実施およびスキームに依存して、スケジューリング決定を行いうる。何れの場合であれ、本開示の態様は、ＵＥによる改善された干渉推定精度を提供する。例えば、本開示のいくつかの態様にしたがって動作するアドバンストＵＥは、干渉元の近隣セルのスケジューリング決定を反映するチャネル状態情報（ＣＳＩ）をレポートしうる。
【００４５】
ＵＥによって経験される干渉は、干渉元によって適用されている送信電力およびビームに依存しうる。ＵＥによって経験される干渉は、予測不能でありうる。なぜなら、干渉元のセルは、送信時間インタバル（ＴＴＩ）ベースでビームおよび送信電力を変更しうるからである。これは、復調のための問題にはならないかもしれない。なぜなら、干渉推定は、復号するための伝送ブロックと同じサブフレームにおいてなされうるからである。しかしながら、ＵＥによって経験される干渉は、ＣＳＩレポートのためのミスマッチを生成しうる。
【００４６】
サービス提供ＢＳによる送信の時間における干渉のより正確な情報は、パフォーマンスを増加させうる。増加したパフォーマンスは、改善されたビーム選択、リンク適用、およびマルチユーザ・ダイバーシティ（ＭＵＤ）利得によって生じうる。例えば、１または複数の近隣の基地局によってＵＥにおいて経験される干渉のより正確な情報は、ＵＥのＣＱＩ推定を改善しうる。さらに、より正確な干渉の情報は、サービス提供ＢＳからの送信信号と、近隣の基地局からの干渉とが直交するようなビーム選択を可能にしうる。
【００４７】
図４は、本開示の態様にしたがう動作４００の例を例示する。動作４００は、例えば、エンハンスされたチャネル状態フィードバックを提供するために、ＵＥによって実行されうる。このようなフィードバックは、例えば、ＵＥへのビームフォーム送信をスケジュールする際に、近隣のＢＳと協調するために、サービス提供ＢＳによって使用されうる。
【００４８】
４０２で、ＵＥは、１または複数の近隣の基地局（ＢＳ）が基準信号（ＲＳ）またはデータを送信している間、少なくとも１つのサービス提供ＢＳがＵＥへ送信することを控えるためのリソースを示すＲＳコンフィギュレーションを決定しうる。
【００４９】
４０４で、ＵＥは、近隣のＢＳによって引き起こされる干渉を、示されたリソースを用いて近隣のＢＳによって送信されたＲＳまたはデータに基づいて推定しうる。４０６で、ＵＥは、この干渉推定を用いて、チャネル状態情報（ＣＳＩ）を計算しうる。いくつかの態様によれば、ＲＳまたはデータは、示されたリソースにおいてビームフォーミングを用いて送信されうる。
【００５０】
４０８で、ＵＥは、近隣のＢＳとの送信を調整する際に使用するために、ＣＳＩをサービス提供ＢＳへ送信しうる。いくつかの態様によれば、サービス提供ＢＳは、このＣＳＩを使用して、ＵＥへのビームフォーム送信をスケジューリングするために近隣のＢＳと協調する。
【００５１】
本開示の態様によれば、ＵＥによる干渉推定は、適切な基準信号（ＲＳ）コンフィギュレーションに基づきうる。例えば、干渉推定は、ＢＳによって提供されるチャネル状態情報−基準信号（ＣＳＩ−ＲＳ）コンフィギュレーションに基づきうる。
【００５２】
いくつかの態様によれば、ＣＳＩ−ＲＳコンフィギュレーション・メッセージは、干渉推定のために、ＵＥによってどのミュート・コンフィギュレーションが使用されうるのかを示すさらなる変数を含みうる。例えば、サービス提供ＢＳが、基準信号を送信することを控えることによってミュートしている場合、ＵＥは、リソース要素（ＲＥ）のセットを受信しうる。サービス提供ＢＳがミュートしている間、近隣のＢＳは、示されたリソースにおいてビームフォーミングを用いて、ＣＳＩ−ＲＳを送信し、ＵＥは、その他すべての送信元ノードからの干渉を推定できるようになる。態様によれば、隣接した犠牲ＢＳは、異なるＣＳＩ−ＲＳコンフィギュレーションにおいてミュートしうる。
【００５３】
本開示の態様によれば、干渉は、サブフレーム毎ベースで変動しうるので、
ＵＥは、推定された干渉を、異なるサブフレームにわたって平均化しないかもしれない。
【００５４】
これは、ラジオ・リソース制御（ＲＲＣ）メッセージでＵＥへ明示的にシグナルされうるか、または、暗黙的に仮定されうる。
【００５５】
本開示の態様によれば、ＣＳＩ−ＲＳは、干渉推定のみのために使用されうる。言い換えれば、ＣＳＩ−ＲＳは、復調基準信号（例えば、送信モード９を用いたＤＭ−ＲＳベースの復調）から分離されうる。例えば、新たな「ＴＭ４ｂ」モードは、ＴＭ４に類似しうるが、前述したように干渉が推定されうる。
【００５６】
本開示の態様によれば、干渉推定精度を高めるために、リソース・ブロック（ＲＢ）毎に複数のＲＥが定義されうる。例えば、新たな基準信号が、ＣＳＩ−ＲＳに関して増加したオーバヘッドを有しうる。あるいは、ＵＥは、干渉推定のために、複数のＣＳＩ−ＲＳコンフィギュレーションをマージしうる。
【００５７】
ＣｏＭＰ  ＵＥは、サービス提供セルによって、（例えば、新たなラジオ・リソース制御情報要素−ＲＲＣ  ＩＥを介して、）攻撃ＢＳによって使用されている物理リソース・ブロック（ＰＲＢ）バンドリング・サイズについて通知されうる。近隣のＢＳによって選択されたビームおよび送信電力が一定を保ちうる場合、ＵＥは、連続するＰＲＢの数について通知されうる。変化は、周波数選択フェージングのみによるので、干渉は、ＰＲＢにまたがって比較的ゆっくりと変化しうる。ＵＥは、干渉共分散行列を推定する際に、いくつの連続ＰＲＢを平均化するのかを決定するために、この情報を使用しうる。
【００５８】
ＵＥが複数の攻撃元を有し、これら攻撃元のおのおのが、異なるバンドリング・サイズを用いているのであれば、ＲＲＣメッセージは、バンドリング・サイズのリストを（オプションとして、対応する攻撃セルのセルＩＤとともに）含みうる。あるいは、サービス提供セルが、１つの一般的な値（例えば、そのＵＥについて最も支配的な攻撃元によって使用されているバンドリング・サイズのうちの最小値）を取りうる。ＵＥは、干渉を計算する場合、この情報を考慮しうる。例えば、ＵＥは、干渉推定のために、Ｎ個の連続したＰＲＢにわたって平均化しうる。ここで、Ｎは、サービス提供セルから受信したバンドリング・サイズを示す。
【００５９】
いくつかの場合、ＢＳは、少なくとも１つの近隣のＢＳによって使用されるビームおよび送信電力のうちの少なくとも１つが一定を保つ、連続した物理リソース・ブロック（ＰＲＢ）の数を示すバンドリング・サイズを受信しうる。このような場合、干渉は、バンドルされた連続的なＰＲＢのセットの境界において劇的に変化しうると仮定して干渉が推定されうる。
【００６０】
リソース品質インジケータ−基準信号（ＲＱＩ−ＲＳ）代案によれば、特別なＣＳＩ−ＲＳコンフィギュレーション（または複数のコンフィギュレーション）が、ＢＳ間で共有されうる。プレ・スケジューリング後、このようなＣＳＩ−ＲＳの最初の送信において、マクロＢＳは、いくつかの場合、プレ・スケジューラによって選択されたビームおよび送信電力にしたがってビームフォームされたＣＳＩ−ＲＳ  ＲＥで、準ランダムなシーケンスを送信しうる。ピコＵＥは、干渉を推定するために、これらＲＥを使用しうる。
【００６１】
ＰＤＳＣＨベースの代案によれば、マクロＢＳは、選択されたビームおよび送信電力を用いて、サブフレームｎにおいて物理ダウンリンク共有チャネル（ＰＤＳＣＨ）でデータを送信しうる。スケジューリング決定は、サブフレームｎと将来のいくつかのサブフレームとの両方に適合しうる。ピコＢＳは、例えば、サブフレームｎ以降、干渉推定のために、ＰＤＳＣＨがマクロＢＳによって送信されている場合、ＲＥを使用するようにＲｅｌ−１１  ＵＥを設定しうる。この場合、ミュートされている特別なＣＳＩ−ＲＳコンフィギュレーションに対応するＲＥは、マクロからの準ランダムなシーケンスと一致しないが、実際のＰＤＳＣＨ  ＲＥとは一致する。いくつかの場合には、ＲＳコンフィギュレーションは、近隣のＢＳによって引き起こされる干渉を推定するためのアンテナ・ポート毎のリソース・ブロック（ＲＢ）毎に、複数のリソース要素（ＲＥ）を定義しうる。
【００６２】
いくつかの場合には、同じ電力クラスのノード間の干渉（例えば、ピコ間干渉）をキャプチャすることも望まれうる。このような場合、いくつかのノードは、犠牲側と攻撃側との両方として挙動しうる。態様によれば、ＵＥは、ピコＢＳ（またはＢＳ）に関連付けられた、推定された干渉が、近隣のピコＢＳから到来する干渉のみならず、マクロＢＳからの干渉をキャプチャすることを確認することを希望しうる。
【００６３】
干渉をより正確に推定するために、隣接する犠牲セルは、干渉推定のためにＵＥによって使用されるＲＥから、サービス提供セルからの信号のみが欠如していることを保証するために、別のＣＳＩ−ＲＳコンフィギュレーションにおいてミュートしうる。ＵＥによって経験されたすべての干渉をキャプチャするために、その他すべてのノードは（データ送信をスケジュールするように決定している限り、）送信することを許可されるべきである。
【００６４】
既存のＲｅｌ−１０  ＲＳ位置によれば、ＣＳＩ−ＲＳ密度は、比較的低い。そして、チャネルおよび干渉推定の両方のために十分ではない場合がありうる。したがって、いくつかの場合には、ＵＥによって提供されたエンハンスされたフィードバックは、干渉元からの、プリ・コードされた干渉をキャプチャしなければならず、サブ帯域プリコーディング行列インジケータ（ＰＭＩ）、ＣＱＩ、ランク・インジケータ（ＲＩ）を含まねばならない。
【００６５】
マクロ基地局とピコ基地局との間のＲＳ調整のために、ＣＳＩ−ＲＳ＿ｍ３と称される第１のＣＳＩ−ＲＳのセットは、プリコードされたＣＳＩ−ＲＳを送信するマクロＢＳに対応しうる。プリコードされたＣＳＩ−ＲＳは、送信のためにスケジュールされていないＵＥのためのレート・マッチング目的のために、ゼロ出力ＲＳとしてシグナルされうる。ＣＳＩ−ＲＳ＿ｍ３は、犠牲ＵＥによる干渉推定のために使用されうる。ＣＳＩ−ＲＳ＿ｐ２と称される第２のＣＳＩ−ＲＳのセットは、ピコ基地局のためのゼロ電力ＲＳに対応し、ＣＳＩ−ＲＳ＿ｍ３にも対応しうる。ＣＳＩ−ＲＳ＿ｐ２は、ＣｏＭＰ  ＵＥのためのＮｔ推定のためのＲＳとしてシグナルされうる。適切なＣＳＩ−ＲＳコンフィギュレーションは、マクロ基地局間で準静的に調整され、ピコＢＳに通信されうる。エリア内におけるすべてのマクロ基地局が、同じＣＳＩ−ＲＳ＿ｍ３を有することが所望されうる。
【００６６】
ＣｏＭＰ  ＵＥのＣＱＩコンフィギュレーションは、エンハンスされたセル間干渉調整（ｅＩＣＩＣ）ＣＳＩコンフィギュレーションの拡張でありうる。例えば、ＣｏＭＰ  ＵＥは、送信元の基地局に基づいて、異なるＣＳＩ値（ＣＳＩ＿１，ＣＳＩ＿２等）を推定しうる。ＣＳＩ値であるＣＳＩ＿３は、ＣＳＩ−ＲＳ−ｐ２に対するＮｔ推定に関連付けられうる。
【００６７】
ＣｏＭＰ  ＵＥは、物理アップリンク制御チャネル（ＰＵＣＣＨ）または物理アップリンク共有チャネル（ＰＵＳＣＨ）でフィードバックを送信しうる。プリコード干渉は、１つのインスタンスから、次のインスタンスへと劇的に変化しうる。したがって、非周期的なフィードバックがより適切でありうる。
【００６８】
開示された処理におけるステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。同伴する方法請求項は、さまざまなステップの要素を、サンプル順で示しており、示された具体的な順序または階層に限定されないことが意味される。
【００６９】
前述した方法のさまざまな動作は、対応する機能を実行することが可能な任意の適切な手段によって実行されうる。一般に、図面に例示された動作が存在する場合、これら動作は、同じ符番を付された対応するミーンズ・プラス・ファンクション構成要素を有しうる。例えば、図４に例示される動作４００は、図４Ａに例示される手段４００Ａに対応する。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。例えば、送信する手段は、例えば、図２に図示された送信機システム２１０（例えばアクセス・ポイント）の送信機ユニット２２２、または、図２に図示された受信機システム２５０（例えばアクセス端末）の送信機ユニット２５４のような送信機を備えうる。受信する手段は、例えば、図２に図示された送信機システム２１０の受信機ユニット２２２、または、図２に図示された受信機システム２５０の受信機ユニット２５４を備えうる。決定する手段、および／または、実行する手段は、例えば、図２に例示される送信機システム２１０のプロセッサ２３０または受信機システム２５０のプロセッサ２７０およびＲＸデータ・プロセッサ２６０のような１または複数のプロセッサを含みる処理システムを備えうる。
【００７０】
当業者であれば、情報および信号は、さまざまな異なる技術および技法のうちの何れかを用いて表されうることを理解するであろう。例えば、前述した説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００７１】
当業者であればさらに、本明細書で開示された態様に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７２】
本明細書で開示された態様に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代わりに、従来技術によるプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７３】
本明細書で開示された態様に関連して記述された方法やアルゴリズムのステップは、ハードウェアによって直接的に、プロセッサによって実行されるソフトウェア・モジュールによって、または、これらの組み合わせによって具体化される。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７４】
開示された態様の上記説明は、いかなる当業者であっても、本開示を製造または使用できるように適用される。これらの態様へのさまざまな変形は、当業者に容易に明らかであって、本明細書で定義された一般原理は、本開示の精神または範囲から逸脱することなく、他の態様に適用されうる。このように、本開示は、本明細書で示された態様に限定されるものではなく、本明細書で開示された原理および新規な特徴と一致した最も広い範囲に相当することが意図されている。
以下に、本願出願時の特許請求の範囲に記載された発明を付記する。
［１］無線通信のための方法であって、
１または複数の近隣の基地局（ＢＳ）が基準信号（ＲＳ）またはデータを送信するリソースを示すＲＳコンフィギュレーションを、少なくとも１つのサービス提供ＢＳによってサービス提供されているユーザ機器（ＵＥ）において決定することと、
前記示されたリソースで前記近隣のＢＳによって送信されたＲＳまたはデータに基づいて、前記近隣のＢＳによって引き起こされ、前記ＵＥによって観察される干渉を推定することと、
この干渉推定を用いて、チャネル状態情報（ＣＳＩ）を計算することと、
前記近隣のＢＳとの送信を調整する際に使用するために、前記ＣＳＩを前記サービス提供ＢＳへ送信することと、
を備える方法。
［２］前記近隣のＢＳは、前記示されたリソースでビームフォーミングを用い、
前記近隣のＢＳとの送信を調整する際に使用するために、前記ＣＳＩが、前記サービス提供ＢＳへ送信される、［１］に記載の方法。
［３］前記ＲＳは、チャネル状態情報−基準信号（ＣＳＩ−ＲＳ）を備える、［１］に記載の方法。
［４］前記決定することは、前記サービス提供ＢＳによって提供される、特定のＣＳＩ−ＲＳコンフィギュレーションを示す値を復号することを備える、［３］に記載の方法。
［５］前記特定のＣＳＩ−ＲＳコンフィギュレーションは、前記サービス提供セルのためのゼロ電力ＣＳＩ−ＲＳコンフィギュレーションを備える、［４］に記載の方法。
［６］ミュートされたＣＳＩ−ＲＳコンフィギュレーションを、前記サービス提供ＢＳから受信することをさらに備え、
前記ミュートされたＣＳＩ−ＲＳコンフィギュレーションは、隣接するＢＳによってＵＥへ提供されたミュートされたＣＳＩ−ＲＳコンフィギュレーションとは異なる、［４］に記載の方法。
［７］自身のＵＥへ提供されたＣＳＩ−ＲＳコンフィギュレーショと、前記隣接するＢＳによってＵＥへ提供されたＣＳＩ−ＲＳコンフィギュレーションとの両方において、おのおののＢＳがミュートする、［６］に記載の方法。
［８］前記ＵＥは、送信モード１と送信モード８とのうちの何れかの送信モードを使用するように構成され、提供されたＣＳＩ−ＲＳコンフィギュレーションを使用する、［４］に記載の方法。
［９］前記ＲＳコンフィギュレーションは、前記近隣のＢＳによって引き起こされる干渉を推定するためのアンテナ・ポート毎のリソース・ブロック（ＲＢ）毎に、複数のリソース要素（ＲＥ）を定義する、［１］に記載の方法。
［１０］前記近隣のＢＳによって引き起こされる干渉を推定するために、複数のＲＳコンフィギュレーションが前記ＵＥへ提供される、［１］に記載の方法。
［１１］前記推定することは、
少なくとも１つの近隣のＢＳによって使用されるビームおよび送信電力のうちの少なくとも１つが一定を保つ、連続した物理リソース・ブロック（ＰＲＢ）の数を示すバンドリング・サイズを受信することと、
前記連続的なＰＲＢのセットの境界において干渉が劇的に変化しうると仮定して干渉を推定することとを備える、［１］に記載の方法。
［１２］前記ＵＥは、前記サービス提供ＢＳから、適切なラジオ・リソース制御（ＲＲＣ）情報要素によって、前記バンドリング・サイズを受信する、［１１］に記載の方法。
［１３］無線通信のための装置であって、
１または複数の近隣の基地局（ＢＳ）が基準信号（ＲＳ）またはデータを送信するリソースを示すＲＳコンフィギュレーションを、少なくとも１つのサービス提供ＢＳによってサービス提供されているユーザ機器（ＵＥ）において決定する手段と、
前記示されたリソースで前記近隣のＢＳによって送信されたＲＳまたはデータに基づいて、前記近隣のＢＳによって引き起こされ、前記ＵＥによって観察される干渉を推定する手段と、
この干渉推定を用いて、チャネル状態情報（ＣＳＩ）を計算する手段と、
前記近隣のＢＳとの送信を調整する際に使用するために、前記ＣＳＩを前記サービス提供ＢＳへ送信する手段と、
を備える装置。
［１４］前記近隣のＢＳは、前記示されたリソースでビームフォーミングを用い、
前記近隣のＢＳとのビームフォーム送信を調整する際に使用するために、前記ＣＳＩが、前記サービス提供ＢＳへ送信される、［１３］に記載の装置。
［１５］前記ＲＳは、チャネル状態情報−基準信号（ＣＳＩ−ＲＳ）を備える、［１３］に記載の装置。
［１６］前記決定する手段は、前記サービス提供ＢＳによって提供される、特定のＣＳＩ−ＲＳコンフィギュレーションを示す値を復号する手段を備える、［１５］に記載の装置。
［１７］前記特定のＣＳＩ−ＲＳコンフィギュレーションは、前記サービス提供セルのためのゼロ電力ＣＳＩ−ＲＳコンフィギュレーションを備える、［１６］に記載の装置。
［１８］ミュートされたＣＳＩ−ＲＳコンフィギュレーションを、前記サービス提供ＢＳから受信する手段をさらに備え、
前記ミュートされたＣＳＩ−ＲＳコンフィギュレーションは、隣接するＢＳによってＵＥへ提供されたミュートされたＣＳＩ−ＲＳコンフィギュレーションとは異なる、［１６］に記載の装置。
［１９］自身のＵＥへ提供されたＣＳＩ−ＲＳコンフィギュレーショと、前記隣接するＢＳによってＵＥへ提供されたＣＳＩ−ＲＳコンフィギュレーションとの両方において、おのおののＢＳがミュートする、［１８］に記載の装置。
［２０］前記ＵＥは、送信モード１と送信モード８とのうちの何れかの送信モードを使用するように構成され、提供されたＣＳＩ−ＲＳコンフィギュレーションを使用する、［１６］に記載の装置。
［２１］前記ＲＳコンフィギュレーションは、前記近隣のＢＳによって引き起こされる干渉を推定するためのアンテナ・ポート毎のリソース・ブロック（ＲＢ）毎に、複数のリソース要素（ＲＥ）を定義する、［１３］に記載の装置。
［２２］前記近隣のＢＳによって引き起こされる干渉を推定するために、複数のＲＳコンフィギュレーションが前記ＵＥへ提供される、［１３］に記載の装置。
［２３］前記推定する手段は、
前記近隣のＢＳによって使用されるビームおよび送信電力のうちの少なくとも１つが一定を保つ、連続した物理リソース・ブロック（ＰＲＢ）の数を示すバンドリング・サイズを受信する手段と、
前記連続的なＰＲＢのセットの境界において干渉が劇的に変化しうると仮定して干渉を推定する手段とを備える、［１３］に記載の装置。
［２４］前記ＵＥは、前記サービス提供ＢＳから、適切なラジオ・リソース制御（ＲＲＣ）情報要素によって、前記バンドリング・サイズを受信する、［２３］に記載の装置。
［２５］無線通信のための装置であって、
１または複数の近隣の基地局（ＢＳ）が基準信号（ＲＳ）またはデータを送信するリソースを示すＲＳコンフィギュレーションを、少なくとも１つのサービス提供ＢＳによってサービス提供されているユーザ機器（ＵＥ）において決定し、
前記示されたリソースで前記近隣のＢＳによって送信されたＲＳまたはデータに基づいて、前記近隣のＢＳによって引き起こされ、前記ＵＥによって観察される干渉を推定し、
この干渉推定を用いて、チャネル状態情報（ＣＳＩ）を計算し、
前記近隣のＢＳとの送信を調整する際に使用するために、前記ＣＳＩを前記サービス提供ＢＳへ送信するように適応された少なくとも１つのプロセッサと、
前記少なくとも１つのプロセッサに接続されたメモリと、
を備える装置。
［２６］格納された命令群を有するコンピュータ読取可能な媒体を有するコンピュータ・プログラム製品であって、
前記命令群は、
１または複数の近隣の基地局（ＢＳ）が基準信号（ＲＳ）またはデータを送信している間、少なくとも１つのサービス提供ＢＳがユーザ機器（ＵＥ）へ送信することを控えるためのリソースを示すＲＳコンフィギュレーションを、前記ＵＥにおいて決定することと、
前記示されたリソースで前記近隣のＢＳによって送信されたＲＳまたはデータに基づいて、前記近隣のＢＳによって引き起こされ、前記ＵＥによって観察される干渉を推定することと、
この干渉推定を用いて、チャネル状態情報（ＣＳＩ）を計算することと、
前記近隣のＢＳとの送信を調整する際に使用するために、前記ＣＳＩを前記サービス提供ＢＳへ送信することと、
のために１または複数のプロセッサによって実行可能である、コンピュータ・プログラム製品。
【図１】
0005980926.tif 000002
【図２】
0005980926.tif 000003
【図２Ａ】
0005980926.tif 000004
【図３】
0005980926.tif 000005
【図４】
0005980926.tif 000006
【図４Ａ】
0005980926.tif 000007